(57)【要約】  【課題】製品コストが嵩むことなく、転写すべき画像を感光性記録媒体の画像形成領域に合わせて転写できる転写装置、および画像表示手段の画像表示面と感光フィルムを従来よりも近づけて、より鮮明な画像を得ることのできる転写装置を提供する。  【解決手段】転写装置は、透過型の画像表示手段から透過した光により、直接または画像投影手段を介して画像表示手段の画像表示領域に表示された画像を感光性記録媒体の画像形成領域に転写する。この転写装置は、感光性記録媒体の画像形成領域の大きさおよび画像形成領域の画像表示領域に対する相対的な位置の少なくとも１つに応じて、画像表示領域に表示すべき画像の大きさおよび表示位置の少なくとも１つを調整して表示させる画像処理部を有する。さらに、他の転写装置は、感光性記録媒体を収納し、画像表示手段の画像表示面に対向する感光性記録媒体の露光用の開口部を有する感光性記録媒体収納手段の少なくとも外枠の内側に、画像表示手段を嵌め込む。【選択図】図１
2004240399.tif 000002
【特許請求の範囲】
【請求項１】
光源と、透過型の画像表示手段と、感光性記録媒体とを、前記光源の光の進行方向に沿って配置し、前記透過型の画像表示手段から透過した光により、直接または画像投影手段を介して前記透過型の画像表示手段の画像表示領域に表示された画像を前記感光性記録媒体の画像形成領域に転写する転写装置であって、
前記透過型の画像表示手段の画像表示領域と前記感光性記録媒体の画像形成領域とが対向して配置され、
前記感光性記録媒体の前記画像形成領域の大きさおよび前記画像形成領域の前記画像表示領域に対する相対的な位置の少なくとも１つに応じて前記画像表示領域に表示すべき画像の大きさおよび表示位置の少なくとも１つを調整して表示させる画像処理部を有することを特徴とする転写装置。
【請求項２】
前記画像表示手段の前記画像表示領域は、前記感光性記録媒体の前記画像形成領域よりも大きい請求項１に記載の転写装置。
【請求項３】
前記画像表示領域に表示すべき画像の大きさが前記画像形成領域の大きさよりも大きい場合、前記画像処理部は、前記表示すべき画像を前記画像形成領域の大きさに合わせて縮小し、前記表示すべき画像の中心と前記画像形成領域の中心とを前記光源の光の進行方向に対して合わせて前記画像を表示させる請求項２に記載の転写装置。
【請求項４】
前記画像表示領域に表示すべき画像の大きさが前記画像形成領域の大きさよりも小さい場合、前記画像処理部は、前記表示すべき画像を前記画像形成領域の大きさに合わせて拡大し、前記表示すべき画像の中心と前記画像形成領域の中心とを前記光源の光の進行方向に対して合わせて前記画像を表示させる請求項２に記載の転写装置。
【請求項５】
前記画像表示領域に表示すべき画像の大きさが前記画像形成領域の大きさと同じである場合、前記画像処理部は、前記表示すべき画像の中心と前記画像形成領域の中心とを前記光源の光の進行方向に対して合わせて前記画像を表示させる請求項２に記載の転写装置。
【請求項６】
光源と、透過性の画像表示手段と、感光性記録媒体とを、前記光源の光の進行方向に沿って配置し、前記透過型の画像表示手段から通過した光により前記感光性記録媒体を露光することにより、前記画像表示手段の表示画像を前記感光性記録媒体に転写する転写装置であって、
前記感光性記録媒体を収納し、前記画像表示手段の画像表示面に対向する前記感光性記録媒体の露光用の開口部を有する感光性記録媒体収納手段の少なくとも外枠の内側に、前記画像表示手段を嵌め込むようにしたことを特徴とする転写装置。
【請求項７】
前記感光性記録媒体を遮光するため前記感光性記録媒体収納手段の露光用の開部に設けられたリブの内側に、前記画像表示手段を嵌め込む請求項６に記載の転写装置。
【請求項８】
前記画像表示手段の画像表示面の外周部の４辺のうち、少なくとも２辺が狭辺である請求項６または７に記載の転写装置。
【発明の詳細な説明】
【技術分野】
【０００１】
本発明は、デジタルスチルカメラ（ＤＳＣ）、ビデオカメラ、またはパソコン（パーソナルコンピュータ）等によりデジタル記録された画像を液晶表示装置（ＬＣＤ）等の透過型の画像表示手段に表示し、表示された画像を用いて、光により発色するインスタント写真フィルムのような感光性記録媒体に転写（画像形成）する転写装置に関する。
【背景技術】
【０００２】
従来より、デジタル記録された画像を記録媒体に転写もしくは印写、または記録する方法として、点状印字ヘッドを有するインクジェット方式、レーザ記録方式または感熱記録方式等の種々の方式が知られている。
上記インクジェット方式等の印字方式は、印字に時間がかかり、また、インクが詰まり易く、精密な印字を行うと印字した紙がインクにより湿ってしまう等の問題点がある。
【０００３】
また、レーザ記録方式では、レンズ等の高価な光学部品が必要であるため、機器のコストが嵩むという問題点がある。また、レーザ記録方式または感熱記録方式は消費電力が大きく、携帯には不向きであるという問題点がある。
このように、これらの記録方式による転写装置においては、一般的なことであるが、特に、インクジェット方式では精密な印字にすればするほど、駆動機構および制御機構が複雑になり、装置も大型かつ高価なものになる。さらに、印刷にも時間がかかってしまうという問題点がある。
【０００４】
これに対し、液晶表示装置（以下、ＬＣＤという）を用いて転写すべき画像を表示画像として表示してインスタントフィルム等の感光性記録媒体に等倍で転写することにより、装置構造を簡略化し、製品コストを低減した転写装置が提案されている（例えば、特許文献１、特許文献２、および特許文献３等参照）。
【０００５】
例えば、図９は、従来の転写装置の概略を示す模式的側断面図である。図９に示すように、この転写装置は、光源としての棒状ランプ１２２を有するバックライトユニット１００と、略平行光生成用の多数の貫通孔１２１を有する多孔板１２０と、デジタル記録された画像を表示する液晶表示装置（ＬＣＤ）１３０と、取り付け取り外し自在なフィルムケース１５１に複数枚の感光フィルム１４０を収納しているフィルムパック１５０と、これらすべてを内包する本体ケース１６０とから構成される。
【０００６】
また、本体ケース１６０には、フィルムパック１５０（またはフィルムケース１５１）の露光済フィルム取出口１５３に臨む位置に取り付けられた露光済フィルムの送り出し兼処理液展開ローラ対１６１、露光済フィルムの本体ケース１６０からの取出口１６２、および感光フィルム１４０をＬＣＤ１３０側に付勢するためのバックアップ用押圧ピン１６３が設けられている。
【０００７】
特に、ＬＣＤ１３０およびフィルムケース１５１に感光フィルム１４０を収納したフィルムパック１５０の部分を拡大して図１０に示す。図１０に示すように、フィルムケース１５１は、遮光のためのリブ１５２を有しており、これにより感光フィルム１４０が感光されてしまうのを防止されるとともに、フィルムケース１５１の外へ出ないように保持される。
【０００８】
また、従来のＬＣＤ１３０においては、画像表示領域の最外周には、液封のためのシーリング部材および配線等を設置するための領域が、４〜５ｍｍ程度必要であった。そのため、図１０に示すように、フィルムケース１５１よりもＬＣＤ１３０の方が大きいのが通常であった。
その結果、図１０に示すように、ＬＣＤ１３０と感光フィルム１４０とは距離ｄで離間し、非接触状態となっており、これが実際に取り扱い易い装置とするための条件とされていた。
【０００９】
次に、このＬＣＤ１３０について説明する。図１１は、ＬＣＤ１３０の平面図であり、図１２は、ＬＣＤ１３０の構造を示す模式的断面図である。
図１１に示すように、ＬＣＤ１３０は、２枚の対向するガラス基板１０２、１０６で液晶層（図１２参照）を挟持するものであり、画像表示面１０１ａ側のガラス基板１０２の上に偏光板（図１２参照）が設けられている。この偏光板の表面、すなわち、画像表示面１０１ａに画像が表示される。画像表示面１０１ａ側のガラス基板１０２と対向して設けられた裏面側のガラス基板１０６は、画像表示面１０１ａ側のガラス基板１０２よりもその面積が大きく、このガラス基板１０６の周縁部には、配線、またはその他のデバイス等を設置するための配線領域１１０が設けられている。配線領域１１０には、例えば、フレキシブル配線１１２等が接続されている。
図１１に示すＬＣＤ１３０の画像表示面１０１ａは、例えば、長方形状である。このようなＬＣＤ１３０の画像表示面１０１ａの短辺Ｙと、長辺Ｘと、対角線Ｌとの比は、例えば、３：４：５である。
【００１０】
次に、ＬＣＤ１３０の構造について説明する。図１２に示すように、ＬＣＤ１３０は、画像表示面１０１ａ側のガラス基板１０２から裏面側のガラス基板１０６に向かって、偏光板１０１と、ガラス基板１０２と、電極１０３と、液晶層１０４と、電極１０５と、ガラス基板１０６と、フィルム状偏光板１０７とを順次積層し、液晶層１０４をその両側からガラス基板１０２、１０６および偏光板１０１、１０７で挟持する構造を有するものである。ガラス基板１０２と電極１０３との間にはＲ、ＧおよびＢの各色のカラーフィルタ１０８Ｒ、１０８Ｇ、１０８Ｂおよびブラックマトリックス１０９が設けられている。周知のように、この他、配向膜（図示せず）等を有しているのはいうまでもない。例えば、ＴＦＴ型ＬＣＤの場合、電極１０３は、共通電極であり、電極１０５は、表示電極およびゲート電極等である。
【００１１】
図１１および図１２に示すように、ＬＣＤ１３０は、画像表示面１０１ａの大きさおよび各辺の比率が規格により決定されている。一方、画像を転写する被記録媒体である感光性記録媒体も、種々の大きさのものがあり、各辺の比率も多種多様である。このため、ＬＣＤに表示された表示画像を感光性記録媒体に等倍で記録する場合、この表示画像が感光性記録媒体の画像形成領域からはみ出てしまったり、また、画像形成領域に対して転写された画像が小さくなる等の不具合が生じる虞がある。このため、上述のような従来の転写装置において、ＬＣＤ１３０の画像表示面１０１ａの大きさと、感光性記録媒体の大きさとを一致させることが望まれている。
【００１２】
【特許文献１】特開２００２−１９６４２４号公報
【特許文献２】特開２００２−１９６４２５号公報
【特許文献３】特開２００２−１９６４２６号公報
【発明の開示】
【発明が解決しようとする課題】
【００１３】
しかしながら、従来の転写装置において、ＬＣＤ１３０を感光性記録媒体の大きさに合わせて製作する場合、ＬＣＤ１３０は、画像表示面１０１ａのサイズを感光性記録媒体のサイズに合わせようとすると、必ずしも市販のものが使えるとは限らず、特注品となることもあり、莫大な初期費用が必要となり、転写装置の製品コストが嵩むという問題点がある。
一方、感光性記録媒体をＬＣＤ１３０の大きさに合わせて製作する場合にも、感光性記録媒体の開発、フィルム保持容器の製作、および組み立て等の初期費用が必要となり、転写装置の製品コストが嵩むという問題点がある。
【００１４】
また、図１０に示すように、ＬＣＤと感光フィルムとを所定の間隔だけ離間させるようにすることは、鮮明な画像を得るという観点からは、これによって生じる光拡散により画像がぼけるというマイナス要因となるという問題があった。しかし、上述した転写装置では、フィルムケース１５１に設けられた遮光用のリブ１５２が存在すること、および画像表示領域の周囲に配線等のための領域が一定程度必要であるためＬＣＤ１３０を小サイズ化できないこと等により、ＬＣＤと感光フィルムをある程度（図１０に示す距離ｄ）以上は近づけることができなかった。
従来は、これに対してＬＣＤの感光フィルム側のガラス基板等の厚みを薄くするなどの方法で対処することも考えられていたが、この方法では限界があり、より簡単に鮮明な画像を得ることができるように、ＬＣＤの画像表示面と感光フィルムとをもっと近づけることが望まれていた。
【００１５】
本発明はかかる問題点に鑑みてなされたものであり、製品コストが嵩むことなく、転写すべき画像を感光性記録媒体の画像形成領域に合わせて転写できる転写装置を提供することを第１の課題とし、ＬＣＤの画像表示面と感光フィルムを従来よりも近づけて、より鮮明な画像を得ることのできる転写装置を提供することを第２の課題とする。
【課題を解決するための手段】
【００１６】
前記第１の課題を解決するために、本発明の第１の態様は、光源と、透過型の画像表示手段と、感光性記録媒体とを、前記光源の光の進行方向に沿って配置し、前記透過型の画像表示手段から透過した光により、直接または画像投影手段を介して前記透過型の画像表示手段の画像表示領域に表示された画像を前記感光性記録媒体の画像形成領域に転写する転写装置であって、前記透過型の画像表示手段の画像表示領域と前記感光性記録媒体の画像形成領域とが対向して配置され、前記感光性記録媒体の前記画像形成領域の大きさおよび前記画像形成領域の前記画像表示領域に対する相対的な位置の少なくとも１つに応じて前記画像表示領域に表示すべき画像の大きさおよび表示位置の少なくとも１つを調整して表示させる画像処理部を有することを特徴とする転写装置を提供するものである。
【００１７】
このような本発明の転写装置においては、前記画像表示手段の前記画像表示領域は、前記感光性記録媒体の前記画像形成領域よりも大きいことが好ましい。
また、例えば、前記画像表示領域に表示すべき画像の大きさが前記画像形成領域の大きさよりも大きい場合、前記画像処理部は、表示すべき画像を前記画像形成領域の大きさに合わせて縮小し、表示すべき画像の中心と前記画像形成領域の中心とを前記光源の光の進行方向に対して合わせて前記画像を表示させることが好ましい。
【００１８】
さらに、例えば、前記画像表示領域に表示すべき画像の大きさが前記画像形成領域の大きさよりも小さい場合、前記画像処理部は、表示すべき画像を前記画像形成領域の大きさに合わせて拡大し、表示すべき画像の中心と前記画像形成領域の中心とを前記光源の光の進行方向に対して合わせて前記画像を表示させることが好ましい。
さらにまた、例えば、前記画像表示領域に表示すべき画像の大きさが前記画像形成領域の大きさと同じである場合、前記画像処理部は、表示すべき画像の中心と前記画像形成領域の中心とを前記光源の光の進行方向に対して合わせて前記画像を表示させることが好ましい。
【００１９】
また、前記第２の課題を解決するために、本発明の第２の態様は、光源と、透過性の画像表示手段と、感光性記録媒体とを、前記光源の光の進行方向に沿って配置し、前記透過型の画像表示手段から通過した光により前記感光性記録媒体を露光することにより、前記画像表示手段の表示画像を前記感光性記録媒体に転写する転写装置であって、前記感光性記録媒体を収納し、前記画像表示手段の画像表示面に対向する前記感光性記録媒体の露光用の開口部を有する感光性記録媒体収納手段の少なくとも外枠の内側に、前記画像表示手段を嵌め込むようにしたことを特徴とする転写装置を提供するものである。
また、前記感光性記録媒体を遮光するため前記感光性記録媒体収納手段の露光用の開部に設けられたリブの内側に、前記画像表示手段を嵌め込むことが好ましい。
さらに、前記画像表示手段の画像表示面の外周部の４辺のうち、少なくとも２辺が狭辺であることが好ましい。
【発明の効果】
【００２０】
本発明の第１の態様によれば、画像表示手段に表示すべき画像を感光性記録媒体の画像形成領域に、その大きさおよび表示位置を調整して転写できるので、感光性記録媒体に適正な位置および大きさで、画像を転写することができる。この場合、画像表示手段の画像表示領域と、感光性記録媒体の画像形成領域との大きさおよびその表示位置を合わせる必要がないので、転写装置に用いる画像表示手段の大きさに制限されることが少なくなり、製品コストを低減することができる。
【００２１】
また、本発明の第２の態様によれば、ＬＣＤの画像表示面と感光フィルムとを従来よりも近づけることができ、その結果鮮明な画像を得ることが可能となる。さらに、画像が鮮明になれば、多孔板のアスペクト比（厚み／穴径）を小さくできる（例えば、アスペクト比：１２→８→６）。そのため、多孔板が作り易く、安価となり、また多孔板からの光量が増す。従って、消費電力を小さくできるという効果も有する。
【発明を実施するための最良の形態】
【００２２】
以下、本発明に係る転写装置について、添付の図面に示される実施例を基に詳細に説明する。
【実施例１】
【００２３】
まず、図１〜図４を参照して、本発明の第１の態様の転写装置について説明する。
図１は、本発明の第１の態様に係る実施例１の転写装置を示す模式的側断面図であり、図２は、図１の転写装置の液晶表示装置（ＬＣＤ）とフィルムパックの部分を拡大して示す拡大断面図である。なお、図２において、図１に示すバックアップ用押圧ピン６３は省略されている。
【００２４】
図１に示すように、本実施例の転写装置は、光源となるバックライトユニット１と、略平行光生成用の多孔板２と、デジタル記録された画像を表示する液晶表示装置（以下、ＬＣＤという）３と、取り付け取り外し自在なフィルムケース５１に感光性記録媒体である感光フィルム４を収納しているフィルムパック５と、これらのバックライトユニット１、多孔板２、ＬＣＤ３およびフィルムパック５を内包する本体ケース６とから構成される。なお、ＬＣＤ３は、本発明における画像表示手段に対応するものである。
【００２５】
ここで、多孔板２と、ＬＣＤ３と、感光フィルム４とは、バックライトユニット１からの光の進行方向に沿って直列に配置されており、ＬＣＤ３の画像表示面３ａと感光フィルム４の画像記録面４ａとが対向して非接触で配置されている。ＬＣＤ３の画像表示面３ａに画像が表示され、感光フィルム４の画像記録面４ａに露光焼付けされて感光フィルム４に画像が形成される。
【００２６】
また、フィルムケース５１の周縁部はＬＣＤ３に密着している。なお、ＬＣＤ３は、フィルムケース５１と離れていてもよい。さらに、図示しないが、ＬＣＤ３と感光フィルム４とは密着していてもよい。
本実施例の転写装置においては、図２に示すように、ＬＣＤ３は、画像表示面３ａの画像表示領域３ｂが、感光フィルム４の画像記録面４ａの画像形成領域４ｂよりも大きいものが使用される。
【００２７】
図１に示すように、フィルムケース５１は感光フィルム４の長手方向の一方の側面に取出口５３が設けられている。また、フィルムケース５１は、ＬＣＤ３と対向する側の内周面に沿ってリブ５２が設けられており、このリブ５２の内周面が開口部５４となる。このリブ５２により、感光フィルム４の感光が防止されるとともに、感光フィルム４は、フィルムケース５１内に保持される。
【００２８】
本体ケース６には、フィルムパック５（フィルムケース５１）の露光済フィルム取出口（以下、単に取出口という）５３に臨む位置に取り付けられた露光済フィルムの送り出し兼処理液展開ローラ対（以下、単にローラ対という）６１、露光済フィルムの本体ケース６からの取出口６２および感光フィルム４をＬＣＤ３側に付勢するためのバックアップ用押圧ピン６３が設けられている。
【００２９】
ＬＣＤ３には、ドライバ７０と、画像処理部７２とが接続されている。
ドライバ７０は、デジタル画像データＤをＬＣＤ３に表示画像として、表示させるための駆動信号に変換して、配線領域１１０（図１１参照）に供給するものである。
【００３０】
画像処理部７２は、デジタル画像データＤに基づいてＬＣＤ３の画像表示領域３ｂに表示される画像を、感光フィルム４の画像形成領域４ｂの大きさ、および表示位置に一致させるものである。この画像処理部７２は、例えば、予め入力設定された感光フィルム４の画像形成領域４ｂのサイズまたは画像形成領域４ｂの画像表示領域３ｂに対する相対的な位置の情報に応じて、デジタル画像データＤに基づいて表示される画像を縮小または拡大し、さらに表示される画像の中心を感光フィルム４の画像形成領域４ｂの中心に一致させる画像処理を行う。画像処理部７２における画像の縮小または拡大は、例えば、デジタル画像データＤを公知の間引き処理、または補間処理等によって行われる。また、画像表示領域３ｂに表示される画像の中心を画像形成領域４ｂの中心に一致させる画像処理は、例えば、画像表示領域３ｂに表示される画像のデジタル画像データＤの配列を調整するデータ配列処理によって行う。
【００３１】
なお、画像処理部７２は、これ以外にもデジタル画像データＤについて色補正、濃度補正または階調補正等の画像処理を行ってもよく、デジタル画像データＤにより表示される画像が、画像形成領域４ｂよりも小さい場合には、この画像を拡大して、画像形成領域４ｂの大きさに一致させてもよい。また、ＬＣＤ３の画像表示領域３ｂに表示される画像の大きさと、感光フィルム４の画像形成領域４ｂの大きさとが同じである場合、画像処理部７２は、画像の縮小または拡大をせずに、画像表示領域３ｂに表示される画像の中心を感光フィルム４の画像形成領域４ｂの中心に一致させる画像処理を行う。
【００３２】
光源となるバックライトユニット１は、ＬＣＤ３の背後からその全面に均一な光を照射するためのもので、ＬＣＤ３の画像表示面３ａと略同一の光射出面（発光面）を持つ面状光源であって、冷陰極線管等の棒状ランプ１１と、棒状ランプ１１から射出された光を所定方向に導入する導光板（図示せず）、導光板に導入された光を略直交する方向に反射させる反射シート（図示せず）および反射シートで反射された光を均一化する拡散シート（図示せず）およびプリズムシート等を有するバックライトアセンブリとからなる。
【００３３】
本実施例に用いられるバックライトユニット１は、特に限定されるものではなく、棒状ランプ１１が発光する光を、導光板、反射シート、拡散シートおよびプリズムシート等からなるバックライトアセンブリを用いて均一に拡散させるようにした面状光源であればよく、従来公知のＬＣＤ用バックライトユニットを用いることができる。
また、本実施例に用いられるバックライトユニット１は、所要の光強度の光を射出できる面状光源であれば、ＬＥＤアレイ光源、有機ＥＬパネルまたは無機ＥＬパネル等を用いる光源等も利用可能である。
【００３４】
多孔板２は、必要に応じて、バックライトユニット１とＬＣＤ３との間に配置されて、バックライトユニット１からの光を平行光にし、ＬＣＤ３に入射する光をなるべく平行にするための略平行光生成素子であって、所定厚みの矩形板に所定の形状およびサイズの貫通孔２１を所定ピッチで多数設けたものである。
多孔板２の材質としては、特に制限的ではないが、例えば所定の厚みを有するアルミニウム板等の金属板、樹脂板またはカーボン材料板等を用いることができる。なお、多孔板２の厚さも、特に限定されるものではなく、要求される転写画像の鮮明度に応じて、または、ＬＣＤ３の画像表示面３ａまたは感光フィルム４の画像記録面４ａの大きさに合わせて、適宜選択すれば良い。
【００３５】
また、貫通孔２１の形状は、特に限定されるものではなく、例えば円筒形、楕円筒形または多角筒形等にすることができる。すなわち、貫通孔２１の平面形状は、特に限定されるものではなく、例えば円形、楕円形または多角形等にすることができるが、製作を容易にするために、円形または多角形とすることが好ましい。また、貫通孔２１は、多孔板２の厚さ方向には、平行な貫通孔であることが好ましいが、略平行であると見なせるものであれば良い。
【００３６】
また、多孔板２に設ける複数の貫通孔２１の配列形状および配列ピッチは、貫通孔２１が均一に配置されるものであれば、どのようなものでも良い。例えば、貫通孔２１の配列形状は、碁盤目状または千鳥状（最密状）であって良く、好ましくは千鳥状が良い。
なお、多孔板２としては、このようなものに限定はされず、例えば、多数の貫通孔を格子状に形成した格子のようなものでもよいし、あるいは、長手方向に沿って１列（または複数列）に配列された多数の貫通孔を有し、所定厚みを持ち、幅が狭く細長い柱状の多孔板を、バックライトの長手方向に、その移動方向前後を遮光しながら移動させるように構成されたもの等でもよい。
【００３７】
また、ＬＣＤ３は、デジタル記録された画像を表示するための透過型の画像表示手段であって、デジタルスチルカメラ、デジタルビデオカメラまたはパーソナルコンピュータ等のデジタル画像データ供給部に接続され、供給されるデジタル画像データＤを画像処理部７２およびドライバ７０を介して表示された画像を透過像として画像表示面３ａに表示するものである。なお、ＬＣＤ３に接続されているデジタルカメラ等のデジタル画像データ供給部では、予め用意されている画像の内から任意の画像を選択して供給できるように構成されている。なお、ＬＣＤ３に供給されるデジタル画像データとしては、上述の場合の他、スキャナ等によって透過原稿または反射原稿から読み取られたものであっても良い。また、ＬＣＤ３は、透過像として画像を表示できれば、どのようなものでも良く、デジタル画像データＤではなくても、通常のビデオカメラで撮影された画像のアナログ画像データに基づいて画像を表示するものであっても良い。この場合は、画像処理部７２へは、アナログ画像データがＡ／Ｄ変換されて送られる。
【００３８】
また、ＬＣＤ３としては、画像表示が可能であれば、上述の図１１および図１２に示す構造を有し、従来公知の液晶表示モードを持ち、従来公知の駆動方式のＬＣＤ素子を用いることができる。例えば、液晶表示モードとしては、ＴＮモード、ＳＴＮモード、ＣＳＨモード、ＦＬＣおよびＯＣＢモード等の偏光板を用いる液晶表示モードを挙げることができる。駆動方式としては、ＴＦＴ型およびダイオード型等のアクティブマトリックス駆動方式の他、ＸＹのストライプ電極からなるダイレクトマトリックス駆動方式等を挙げることもできる。
【００３９】
感光フィルム４は、本発明の感光性記録媒体として用いられるものである。本発明の感光性記録媒体としては、ＬＣＤ３に表示された画像に基づく露光焼付により、可視ポジ画像を形成できるものであればどのようなものでも良く、特に限定されるものではないが、例えば、いわゆるインスタント写真フィルムが好ましい。このような感光性記録媒体として用いられる感光フィルム４としては、モノシートタイプのインスタント写真用フィルム「インスタックスミニ」または「インスタックス」（共に富士写真フイルム（株）製、「チェキ」用フィルム）を挙げることができる。このようなインスタント写真フィルムは、フィルムケースに所定数のフィルムを収納した、いわゆるフィルムパックとして市販されている。
【００４０】
このように、複数枚の感光フィルム４が、フィルムケース５１（感光性記録媒体収納手段）に収納されている。フィルムケース５１は、本体ケース６内に取り付けられ、１セット（パック）の複数枚の感光フィルム４を装填するものであっても、取り付け取り外し自在なフィルムケース５１に複数枚の感光フィルム４を収納しているフィルムパック５をそのまま本体ケース６に装填するものであっても良いが、フィルムケース５１ごとフィルムパック５、すなわち、複数枚の感光フィルム４を収納しているフィルムケース５１自体を装填できるように構成しておくのが好ましい。
【００４１】
フィルムパック５には、そのフィルムケース５１の一端部に感光フィルム４を、フィルムパック５（のフィルムケース５１）から取り出すためのクロー部材（爪）が進入可能な切り欠き（図示せず）が設けられており、露光の終了した感光フィルム４は、上記クロー部材によりフィルムパック５のフィルムケース５１の取出口５３から取り出され、ローラ対６１によって、本体ケース６に設けられた取出口６２から装置外部に送り出される。このとき、露光済フィルムの送り出し兼処理液展開ローラ対６１は、上記感光フィルム４の一端に予め設けられている処理液（現像液）チューブ（図示せず）を押し破って、現像液を感光フィルム４内全面に均一に行きわたらせる処理工程を行う。
【００４２】
周知のように、この種のインスタント写真用フィルムは、上述の処理工程を経た後、数十秒ほどで完全な画像を形成し、観賞に供することが可能になる。
なお、上述した、このフィルムパックの取り扱い方法については、先に本出願人の出願に係る特開平４−１９４８３２号公報に開示されたインスタント写真用フィルムを用いるインスタントカメラを参照することができる。
【００４３】
なお、図示はしていないが、本実施例の転写装置はローラ対６１を駆動するための駆動源（モータ）、またはこれを駆動したりバックライトユニット１の棒状ランプ１１を点灯するための電源、これらを制御するための電装品等を有しているのはもちろんである。本実施例に係る転写装置は、基本的に以上のように構成される。
【００４４】
本実施例の転写装置においては、画像表示領域３ｂに表示される画像の大きさを、感光フィルム４の画像記録面４ａの画像形成領域４ｂの大きさに一致させるとともに、棒状ランプ１１からの光の進行方向において、画像表示領域３ｂに表示される画像の中心を画像形成領域４ｂの中心と一致させるように、デジタル画像データ供給部から供給されたデジタル画像データＤが画像処理部７２により画像処理されて、ドライバ７０に供給される。そして、デジタル画像データＤに基づいてＬＣＤ３の画像表示領域３ｂに画像を表示させる。次いで、棒状ランプ１１を点灯して多孔板２を経て略平行光をＬＣＤ３の画像表示面３ａに垂直に入射させる。このとき、ＬＣＤ３からの透過光により、画像表示領域３ｂに表示された画像が感光フィルム４に等倍で露光焼付けされる。これにより、感光フィルム４の画像記録面４ａの画像形成領域４ｂに適切な大きさおよび位置で転写画像が形成される。
【００４５】
次に、本実施例の転写装置の動作について図３を参照して説明する。図３は、本実施例の転写装置の転写方法を説明する模式図である。なお、図３においては、表示面側のガラス基板４０だけを図示して偏光板の図示を省略し、さらに画像形成領域４ｂを図示し、感光フィルムの図示は省略している。
【００４６】
また、図３に示すように、ＬＣＤ３の画像表示領域３ｂの面積は、感光フィルム４の画像形成領域４ｂの面積よりも大きく、ＬＣＤ３の画像表示領域３ｂの全面にわたって画像が表示されると、表示される画像の大きさは、感光フィルム４の画像形成領域４ｂよりも大きくなる。そこで、表示すべき画像の大きさおよび表示位置が、以下のように調整される。
【００４７】
先ず、画像処理部７２により、デジタル画像データＤに基づく表示すべき画像Ｉｍの大きさを、画像形成領域４ｂと同じ大きさとなるように、デジタル画像データＤに対して縮小処理が施される。
例えば、画像表示領域３ｂに表示すべき画像Ｉｍの大きさ、および画像形成領域４ｂの大きさが予め分かっており、表示すべき画像Ｉｍの大きさと、画像形成領域４ｂの大きさとが比較され、縮小比が決定される。そして、表示すべき画像Ｉｍの大きさが画像形成領域４ｂと同じ大きさとなるように、デジタル画像データＤについて間引き処理または内挿補間処理等の公知の処理が行なわれる。
【００４８】
次に、画像処理部７２により、画像表示領域３ｂに表示される画像Ｉｍの中心が、棒状ランプ１１からの光の進行方向において画像形成領域４ｂの中心と一致するように、デジタル画像データＤのデータ配列処理が行われる。この場合、ＬＣＤ３と感光フィルム４との配置状態から、画像表示領域３ｂにおける画像形成領域４ｂの相対的な位置は予め分かっている。このため、例えば、図３に示すように、画像Ｉｍの中心Ａを画像形成領域４の中心Ｃに一致させるように、デジタル画像データＤに対してデータ配列処理が施される。これにより、画像表示領域３ｂに表示される画像Ｉｍの大きさを感光フィルム４の画像形成領域４ｂの大きさに一致させるとともに、表示される画像Ｉｍの中心を、棒状ランプ１１からの光の進行方向において画像形成領域４ｂの中心と一致させて画像Ｉｍが表示される。
【００４９】
次に、棒状ランプ１１を点灯し、多孔板２を経て略平行光をＬＣＤ３の画像表示面３ａに垂直に入射させる。次に、ＬＣＤ３から透過した光により、画像表示領域３ｂに表示された画像Ｉｍが感光フィルム４に等倍で露光焼付けされる。これにより、感光フィルム４の画像形成領域４ｂに転写画像が形成される。
【００５０】
本実施例においては、ＬＣＤ３の画像表示領域３ｂの面積が、感光フィルム４の画像形成領域４ｂの面積よりも大きいＬＣＤ３を用いて、画像処理部７２により、ＬＣＤ３の画像表示領域３ｂに表示される画像Ｉｍの大きさを、感光フィルム４の画像形成領域４ｂの大きさに一致させ、かつ画像Ｉｍの中心と、画像形成領域４ｂの中心とを一致させる。これにより、画像Ｉｍが画像形成領域４ｂに適正な大きさおよび位置で記録された感光フィルム４を得ることができる。
【００５１】
また、本実施例においては、ＬＣＤ３の画像表示領域３ｂの大きさを感光フィルム４の画像形成領域４ｂの大きさに一致させる必要がなく、さらにＬＣＤ３の画像表示領域３ｂの中心と感光フィルム４の画像形成領域４ｂの中心とを、棒状ランプ１１からの光の進行方向において合わせる必要もないので、予め転写装置に用いられる感光フィルム４の画像形成領域４ｂよりも画像表示領域３ｂが大きいＬＣＤ３を用いればよい。このため、ＬＣＤ３の選択肢が増え、ＬＣＤ３を特注する必要がなくなり、市販のＬＣＤを用いることができるので、初期費用を抑えることができ、製品コストを低減することができる。
【００５２】
このことは、他の感光性記録媒体にも有効である。通常ＬＣＤは、３：４：５の寸法比で構成されているが、感光性記録媒体は必ずしも上記寸法比では作製されていない。例えば、インスタックスワイド（富士写真フイルム（株）製）では、短辺：長辺：対角辺が１：１．５８：１．８７等、通常ＬＣＤでは、市販されていないサイズ（寸法比）である。従って、このような感光性記録媒体においても、市販品で、画像表示領域が画像形成領域よりも大きいＬＣＤを用いればよい。
なお、本発明においては、レンズ等の画像投影手段をＬＣＤ３の画像表示面３ａと感光フィルム４の画像記録面４ａとの間に設けて、ＬＣＤ３の画像表示面３ａに表示された画像を感光フィルム４の画像記録面４ａに露光焼付けしてもよい。
【００５３】
次に、図４を参照して本実施例の転写装置の作用の変形例について説明する。図４は、実施例１の転写方法の変形例を説明する模式図である。
本変形例は、実施例に比して、表示される画像Ｉｍの大きさが、画像形成領域４ｂの大きさと等しい点が異なり、それ以外は、上述の実施例の動作と同様であるので、その詳細な説明は省略する。
【００５４】
本変形例においては、表示される画像Ｉｍが、画像形成領域４ｂと同じ大きさであるので、画像処理部７２により、実施例と同様にデジタル画像データＤにデータ配列処理が施され、図４に示すように、画像Ｉｍの中心Ａを画像形成領域４ｂの中心Ｃに一致させる。これ以降の工程は、実施例１の動作と同様であるので、その詳細な説明は省略する。
なお、本変形例においても、表示される画像Ｉｍを、画像形成領域４ｂの大きさに一致させるとともに、棒状ランプ１１からの光の進行方向に対して画像Ｉｍの中心と画像形成領域４ｂの中心とを一致させることができるので、実施例１と同様の効果を得ることができる。
【００５５】
上述のいずれの実施例および変形例においても、表示される画像Ｉｍの中心と画像形成領域４ｂの中心とを一致させることにより、画像Ｉｍの表示位置を画像形成領域４ｂに一致させているが、本発明は、特に、これに限定されるものではない。例えば、画像Ｉｍの端点と、この画像Ｉｍに対向する画像形成領域４ｂにおいて、画像Ｉｍの端点に相当する画像形成領域４ｂの端点とを一致させてもよく、また、画像Ｉｍのエッジを検出し、このエッジを画像形成領域４ｂのエッジに一致させるようにしてもよい。
【００５６】
また、上述のいずれの実施例および変形例においても、略平行光生成素子として多孔板を使用したが、これに限定されるものではなく、例えばセルフォックレンズ等を使用しても良い。
さらに、多孔板としては、ＬＣＤの画像表示領域全面に設けるのではなく貫通孔が１列形成されたものであってもよい。この場合、多孔板の下方に線状光源を設け、多孔板と線状光源とが一体化されて線状略平行光生成ユニットとする。この線状略平行光生成ユニットに、その移動方向の前後に貫通孔以外からの光を遮光するための遮光膜を設ける。この遮光膜は、線状略平行光生成ユニットが移動できるように、例えば、移動方向の前後に伸縮自在な蛇腹状の膜で構成する。さらに、線状略平行光生成ユニットを貫通孔の配列方向と直交する方向に移動させる移動手段を本体ケース内の下方に設ける。
【実施例２】
【００５７】
次に、図５〜図８を参照して、本発明の第２の態様に係る実施例２の転写装置を説明する。
上述の図１〜図４に示す実施例１では、ＬＣＤ３は、画像表示面３ａの画像表示領域３ｂが、感光フィルム４の画像記録面４ａの画像形成領域４ｂよりも大きいものが使用されている。しかしながら、この図５〜図８に示す実施例２では、ＬＣＤ３６、３８は、画像表示面の外周部の４辺のうち少なくとも２辺が所定値以下の狭辺となっており、残りの辺のみに配線等のための領域が形成され、小サイズ化されている。その結果、フィルムケース５１の枠外の内部にＬＣＤ３を嵌め込むことが可能である。
【００５８】
図５は、本発明の第２の態様に係る実施例２の転写装置を示す模式的側断面図である。
図５に示す実施例２の転写装置は、図１に示す実施例１の転写装置と、ＬＣＤの構成を除いて、同様の構成を有するものであるので、同一の構成要素には、同一の番号を付し、その詳細な説明は省略する。
図５に示すように、本実施例２の転写装置は、冷陰極線管等の棒状ランプ１１を有するバックライトユニット１と、略平行光生成用の多数の貫通孔２１を有する多孔板２と、デジタル記録された画像を表示するＬＣＤ３６と、取り付け取り外し自在なフィルムケース５１に複数枚の感光フィルム４を収納しているフィルムパック５と、これらすべてを内包する本体ケース６とから構成される。
【００５９】
ここで、多孔板２と、ＬＣＤ３６と、感光フィルム４とは、バックライトユニット１からの光の進行方向に沿って配置され、少なくとも、ＬＣＤ３６と感光フィルム４とは非接触状態で配置されることが好ましいが、本発明にいう所の色純度、解像度という点では、接触（密着）状態でも構わない。ＬＣＤ３６を通過した表示画像で感光フィルム４を短時間で露光でき、バックライトユニット１から必要とされる画像鮮鋭度に対して十分な強度の平行光を射出することができれば、多孔板２を配置しなくても良い。
【００６０】
光源となるバックライトユニット１は、ＬＣＤ３６の背後からその全面に均一な光を照射するためのもので、ＬＣＤ３６の表示画面と略同一の光射出面（発光面）を持つ面状光源である。
多孔板２は、必要に応じて、バックライトユニット１とＬＣＤ３６との間に配置され、バックライトユニット１からの光を平行光にし、ＬＣＤ３６に入射する光をなるべく平行にするための略平行光生成素子である。
【００６１】
ＬＣＤ３６は、上述の実施例１のＬＣＤ３と同様に、デジタル記録された画像を表示するための透過型の画像表示手段であって、上述したように、デジタル画像データ供給部に接続され、供給されるデジタル画像データに応じて表示画像を透過像として表示するものである。なお、ＬＣＤ３と同様に、ＬＣＤ３６に接続されているデジタル画像データ供給部では、予め用意されている画像の内から、任意の画像を選択して供給できるように構成されている。なお、ＬＣＤ３と同様に、ＬＣＤ３６に供給されるデジタル画像データとしては、どのようなものであっても良い。また、ＬＣＤ３６は、ＬＣＤ３と同様に、透過像として画像を表示できれば、どのようなものでも良く、アナログ画像データに基づいて画像を表示するものであっても良い。
なお、本実施例のＬＣＤ３６は、画像表示面の外周部の４辺のうち少なくとも２辺が所定値以下の狭辺となっており、残りの辺のみに配線等のための領域が形成され、小サイズ化されている。その結果、フィルムケース５１の外枠の内部にＬＣＤ３６を嵌め込むことが可能であるが、これについては後で詳述する。
【００６２】
感光フィルム４（感光性記録媒体）は、その感光面が、所定の間隙（好ましくは、０．０１ｍｍ〜３ｍｍ）を隔てて、ＬＣＤ３６の表示画面に配置されるように構成され、複数枚の感光フィルム４が、フィルムケース５１に収納されている。感光フィルム４は、感光性記録媒体として用いられるものであり、感光性記録媒体としては、ＬＣＤ３６の透過表示画像の露光焼付により、可視ポジ画像を形成できるもので、例えば、上述したように、モノシートタイプのインスタント写真用フィルムが好適に例示される。
【００６３】
上述のように、ローラ対６１は、フィルムパック５の取出口５３から取り出された露光の終了した感光フィルム４を、本体ケース６に設けられた取出口６２から装置外部に送り出す時に、この感光フィルム４の一端に予め設けられている処理液（現像液）チューブを押し破って、現像液を感光フィルム４内全面に均一に行きわたらせる処理工程を行う。
【００６４】
周知のように、この種のインスタント写真用フィルムは、上述の処理工程を経た後、数十秒ほどで完全な画像を形成し、観賞に供することが可能になる。
なお、実施例１と同様に、本実施例の転写装置も、図示しないが、ローラ対６１を駆動するための駆動源（モータ）や、これを駆動したり、バックライトユニット１の棒状ランプ１１を点灯するための電源や、これらを制御するための電装品や、ＬＣＤ３６に画像を表示させるためにデジタル画像データ供給部からデジタル画像データを受信し、ＬＣＤ表示用画像データに変換するデータ処理装置、制御装置などを有している。
【００６５】
本実施例の転写装置は、基本的に以上のように構成されているが、本態様は、サイズの小さなＬＣＤを用いて、フィルムケースの外枠の内側にＬＣＤを嵌め込むことにより、ＬＣＤの画像表示面と感光フィルムとの距離を従来よりも近づけるようにしたものである。
以下、これについて説明する。
【００６６】
図６は、フィルムパック５およびＬＣＤ３６の部分を拡大して示したものである。ところで、図６では、バックアップ用押圧ピン６３は省略されている。
図６に示すように、フィルムケース５１の外枠５１ａの内部にＬＣＤ３６が嵌め込まれている。フィルムケース５１の外枠５１ａの内側には、感光フィルム４を保持し、感光フィルム４が感光しないように遮光するためのリブ５２が設けられている。リブ５２の内側は、ＬＣＤ３６の画像表示面に対向する感光フィルム４の露光用の開口部５４となっている。
従って、本実施例では、ＬＣＤ３６をフィルムケース５１の外枠５１ａの内部に嵌め込むことにより、ＬＣＤ３６の画像表示面と感光フィルム４との距離をリブ５２の厚み分ｄ0まで近づけることができる。チェキフィルムパックを例にとれば、図６のｄ＝２．８ｍｍから、図６のｄ0では１．５ｍｍと小にできる。
【００６７】
このようなＬＣＤ３６の平面図を図７に示す。
図７に示すように、ＬＣＤ３６は、画像表示面３１の周囲に配線やその他のデバイス等を設置するための配線領域３２が設けられている。配線領域３２には、例えば、フレキシブル配線３３等が接続される。
図７に示すＬＣＤ３６は、外周の左辺および上辺のそれぞれ幅がｄ1、ｄ2（例えば、３．５ｍｍ程度）と狭くなっており、配線等は下辺および右辺にのみ配置される２辺狭辺の構成となっている。
その結果、ＬＣＤ３６は、その分だけ、サイズを小さくすることができ、フィルムケース５１の外枠５１ａ内に嵌め込むことが可能となる。また、このように嵌め込むことにより、ＬＣＤ３６の画像表示面と感光フィルム４の画像領域（実際に画像が露光される画面サイズ）を合わせることができる。
【００６８】
このように、本実施例では、画像表示面の周囲の配線領域のうち少なくとも２辺の幅が狭くなっている２辺狭辺のＬＣＤを用いることにより、フィルムケースの外枠の内側にＬＣＤを嵌め込むことが可能となり、ＬＣＤの画像表示面と感光フィルムとの距離を従来よりも近づけることが可能となった。その結果、より鮮明な画像を感光フィルム上に記録することが可能となった。
なお、上では、画像表示面の周囲の２辺の幅が狭くなっている２辺狭辺について説明したが、本発明はこれに限定されるものではなく、画像表示面の周囲の３辺の幅が狭くなっている３辺狭辺であればより好ましい。
【００６９】
次に本実施例の他の例について説明する。
これは、さらに小さなサイズのＬＣＤを用いて、フィルムケースの露光用の開口部内にＬＣＤを嵌め込むようにしたものである。
図８に、この例に係る転写装置のフィルムパックおよびＬＣＤの部分を拡大して示す。図８に示すように、この例は、フィルムパック５に関しては図６に示すものと全く同じであり、ＬＣＤ３８が図６のものより小さくなって、フィルムケース５１の外枠５１ａに設けられたリブ５２の内側の露光用の開口部５４内にＬＣＤ３を嵌め込むことを可能にしたものである。
【００７０】
このようなＬＣＤ３８としては、例えば、図７における左辺あるいは上辺の幅ｄ1、ｄ2が１．５ｍｍ程度にさらに狭くなったものや、３辺の幅が狭くなった３辺狭辺のＬＣＤが好適に例示される。
このように小さなサイズのＬＣＤ３８を用いることにより、フィルムケース５１の露光用の開口部５４内にＬＣＤ３８を嵌め込むことが可能となり、ＬＣＤ３８の画像表示面を感光フィルム４に接触させることも可能である。
【００７１】
ただし、ＬＣＤ３８の画像表示面と感光フィルム４が密着していると、露光済の感光フィルム４をフィルムケース５１から引き出す際に、感光フィルム４に傷がついたりする虞もあるため、また取り扱い容易とするために、適宜ＬＣＤ３８の画像表示面と感光フィルム４との距離を設定することが可能である。
【００７２】
また、露光用開口部５４内にすっぽりＬＣＤ３８を嵌め込んだ場合、ＬＣＤ３８の画像表示面の周囲に配線領域が存在するが、感光フィルム４も、その全面が露光可能なのではなく、実際に露光可能な画面サイズは少し小さく設定されているため、この場合においても、ＬＣＤ３８の画像表示面と感光フィルム４の実際に露光可能な画面サイズを合わせることができる。
【００７３】
このようにして、本実施例およびその他の例においては、ＬＣＤの画像表示面と感光フィルムとを従来よりも近づけることができるため、鮮明な画像を得ることが可能となる。また、ＬＣＤの画像表示面と感光フィルムの画像領域（画面サイズ）を合わせることができるため、無駄なく効率的に画像を転写することが可能となる。
【００７４】
以上、本発明の転写装置について、種々の実施例を挙げて詳細に説明したが、本発明はこれらの実施例に限定されるものではなく、本発明の要旨を逸脱しない範囲において、各種の改良や設計の変更を行ってもよいのはもちろんである。
【図面の簡単な説明】
【００７５】
【図１】本発明の第１の態様に係る実施例１の転写装置を示す模式的側断面図である。
【図２】図１の転写装置のＬＣＤとフィルムパックの部分を拡大して示す拡大断面図である。
【図３】図１の転写装置の転写方法を説明する模式図である。
【図４】図１の転写装置の転写方法の変形例を説明する模式図である。
【図５】本発明の第２の態様に係る実施例２の転写装置を示す模式的側断面図である。
【図６】図５の転写装置のＬＣＤとフィルムパックの部分を拡大して示す拡大断面図である。
【図７】図５の転写装置のＬＣＤを示す平面図である。
【図８】実施例２の他の例に係る転写装置のＬＣＤとフィルムパックの部分を拡大して示す拡大断面図である。
【図９】従来の転写装置の概略を示す模式的側断面図である。
【図１０】図９の転写装置のＬＣＤとフィルムパックの部分を拡大して示す拡大断面図である。
【図１１】従来の転写装置の液晶表示装置を示す平面図である。
【図１２】図１１の液晶表示装置の構造を示す模式的断面図である。
【符号の説明】
【００７６】
１  バックライトユニット（光源）
２  多孔板
３、３６、３８、１３０  液晶表示装置（ＬＣＤ）
３ａ、１０１ａ  画像表示面
３ｂ  画像表示領域
４  感光フィルム
４ａ  画像記録面
４ｂ  画像形成領域
５  フィルムパック
６    本体ケース
２１  貫通孔
３１  画像表示面
３２  配線領域
３３  フレキシブル配線
４０  ガラス基板
５１  フィルムケース
５２  リブ
５３、６２  露光済みフィルムの取出口
５４  露光用の開口部
６１  露光済みフィルムの送り出し兼処理液展開ローラ対
６３  バックアップ用押圧ピン
１０１、１０７  偏光板
１０２、１０６  ガラス基板
１０３、１０５  電極
１０４  液晶層
１０８Ｒ、１０８Ｇ、１０８Ｂ  カラーフィルタ
１０９  ブラックマトリックス
【図１】
2004240399.tif 000003
【図２】
2004240399.tif 000004
【図３】
2004240399.tif 000005
【図４】
2004240399.tif 000006
【図５】
2004240399.tif 000007
【図６】
2004240399.tif 000008
【図７】
2004240399.tif 000009
【図８】
2004240399.tif 000010
【図９】
2004240399.tif 000011
【図１０】
2004240399.tif 000012
【図１１】
2004240399.tif 000013
【図１２】
2004240399.tif 000014